(57)【要約】【課題】  Fading Noiseを十分に抑えて、精度の高いＯＴＤＲ試験を行うことのできるＯＴＤＲ装置を提供する。【解決手段】  本発明のＯＴＤＲ装置１００ａは、ＯＴＤＲ試験用の検査光を出力する検査光光源１ａを備えている。この検査光光源は、半導体発光素子１０と、この半導体発光素子から出射した光が入射する位置に配置され、反射波長幅が約１ｎｍ以上の回折格子３５が所定部位に設けられた光導波路３０とを有している。【選択図】  図１
2004198435.tif 000002
【特許請求の範囲】
【請求項１】
ＯＴＤＲ試験用の検査光を出力する検査光光源を備えたＯＴＤＲ装置であって、
前記検査光光源は、
光出射面及びこの光出射面と対向する光反射面を有する半導体発光素子と、
前記半導体発光素子の前記光出射面から出射した光が入射する位置に配置され、屈折率が光軸に沿って周期的に変化している回折格子であって、反射波長幅が１ｎｍ以上のものが所定部位に設けられた光導波路と、
を備えて、前記半導体発光素子の前記光反射面と前記回折格子との間でレーザ共振器を構成する、
ことを特徴とするＯＴＤＲ装置。
【請求項２】
前記回折格子の反射波長幅が２０ｎｍ以下であることを特徴とする請求項１記載のＯＴＤＲ装置。
【請求項３】
前記回折格子は、その格子周期又は最小屈折率が前記光導波路の光軸に沿った位置に応じて単調に変化しているチャープ格子であることを特徴とする請求項１記載のＯＴＤＲ装置。
【請求項４】
前記チャープ格子は、前記半導体発光素子からの光が前記チャープ格子の短反射波長側の部位から長反射波長側の部位に向かって進行するように配置されていることを特徴とする請求項３記載のＯＴＤＲ装置。
【請求項５】
前記チャープ格子は、その反射率が前記半導体発光素子側の部位から他の一方側の部位に向かって単調に減少するものであることを特徴とする請求項３記載のＯＴＤＲ装置。
【請求項６】
前記検査光光源から出射された光を入力し、所定の波長範囲の波長の光を選択的に出力するバンドパスフィルタを更に備えることを特徴とする請求項１記載のＯＴＤＲ装置。
【発明の詳細な説明】
【技術分野】
【０００１】
本発明は、被測定光ファイバの後方散乱光を検出し、その強度の時間特性に基づいて被測定光ファイバの各点の特定波長における特性を測定するＯＴＤＲ（Optical Time-Domain Reflectometry）装置に関するものである。
【背景技術】
【０００２】
ＯＴＤＲ装置は、従来から、光ファイバの損失測定等に広く用いられている。ＯＴＤＲ装置は、検査光光源からのパルス検査光を光カプラ等を介して被測定ファイバの一端に入射させ、被測定ファイバの各点で生じる後方散乱光を検出し、得られる電気信号データを収集することによって、被測定ファイバの各点における損失特性等を測定するものである。
【０００３】
このようなＯＴＤＲ装置の検査光光源としては、一般に、縦モードが多モードの半導体レーザが用いられている。しかし、縦多モードの半導体レーザは発振波長幅が２０ｎｍを越えて広いため、特定波長に対する光ファイバの特性を測定するのには必ずしも適していなかった。
【０００４】
これに対して、特定波長における光ファイバの特性を測定するのに好適なＯＴＤＲ装置としては、光ファイバレーザなどの時間的コヒーレンスの高い検査光光源を用いるものが提案されている。例えば、光ファイバレーザを検査光光源とするＯＴＤＲ装置は、特許文献１に開示されている。
【特許文献１】特開平６−１３６８８号公報
【発明の開示】
【発明が解決しようとする課題】
【０００５】
しかしながら、ＯＴＤＲ装置の検査光光源として時間的コヒーレンスの高い光源を使用した場合、検査光の時間的コヒーレンスの高さに起因して Fading Noise のような特有のノイズが発生しやすく、測定誤差が大きくなりやすいという課題がある。なお、「Fading Noise」は、時間的コヒーレンスの高い検査光を用いた場合に散乱位置の異なる後方散乱光が干渉するなどして生じるノイズであり、泉田らによる「コヒーレントＯＴＤＲの Fading Noise 低減」（1991年電子情報通信学会秋季大会 B-588）に詳しく説明されている。
【０００６】
本発明は、上記の課題を解決するためになされたもので、Fading Noiseを十分に抑えて、精度の高いＯＴＤＲ試験を行うことのできるＯＴＤＲ装置を提供することを目的とする。
【課題を解決するための手段】
【０００７】
上記の課題を解決するために、本発明に係るＯＴＤＲ装置は、ＯＴＤＲ試験用の検査光を出力する検査光光源を備えており、この検査光光源は、(i) 光出射面及びこの光出射面と対向する光反射面を有する半導体発光素子と、(ii) 半導体発光素子の光出射面から出射した光が入射する位置に配置され、屈折率が光軸に沿って周期的に変化している回折格子であって、反射波長幅が１ｎｍ以上のものが所定部位に設けられた光導波路と、を備えていて、半導体発光素子の光反射面と回折格子との間でレーザ共振器を構成することを特徴とする。
【０００８】
なお、本願明細書において「光導波路」とは、コアとクラッドとの屈折率差を利用して光を一定領域に閉じ込めて伝送する回路または線路をいい、これには光ファイバや薄膜導波路等が含まれる。また、本願明細書において「回折格子の反射波長幅」とは、横軸が波長、縦軸が反射率を示す回折格子の反射特性図において、回折格子の最大反射率の１／１０の点で波長軸に平行に引いた直線と回折格子の反射スペクトルとの交点間の波長幅をいう。
【０００９】
本発明に係るＯＴＤＲ装置では、半導体発光素子から出射した光のうち半導体発光素子の光反射面と光導波路に設けられた回折格子との間で繰り返し反射された光がレーザ発振され、検査光光源から検査光として出力される。この検査光は、回折格子の反射波長幅に応じた波長幅を有するが、本発明に係るＯＴＤＲ装置では、回折格子の反射波長幅が約１ｎｍ以上となっているため、検査光の波長幅も、検査光の時間的コヒーレンスが十分に低くなる程度に広くなる。なお、本願明細書において「検査光の波長幅」とは、横軸が波長、縦軸が光パワーを示す検査光特性図において、検査光の最大パワーから２０ｄＢだけ低いパワーの点で波長軸に平行に引いた直線と検査光のパワースペクトルとの交点間の波長幅をいう。このような時間的コヒーレンスの低い検査光を用いることで、Fading Noiseを抑えたＯＴＤＲ試験を行うことが可能になる。
【００１０】
本発明に係るＯＴＤＲ装置において、上記の回折格子の反射波長幅が約２０ｎｍ以下であると良い。なお、「回折格子の反射波長幅」の定義は、上記の通りである。
【００１１】
この場合、従来の縦多モードの半導体レーザ光源を検査光光源として用いた場合より検査光の波長幅が小さくなるので、特定波長における光ファイバの特性が従来よりも良好に測定されることになる。
【００１２】
本発明に係るＯＴＤＲ装置において、上記の回折格子は、その格子周期又は最小屈折率が光導波路の光軸に沿った位置に応じて単調に変化しているチャープ格子であると良い。
【００１３】
このチャープ格子は、光軸に沿った位置に応じて異なる反射波長を有しており、このような反射波長の変化の幅、すなわち反射波長の最小値と最大値との差に応じた反射波長幅を有している。格子周期や最小屈折率の変化の幅を調節することで所望の反射波長幅を有するチャープ格子を容易に得ることができ、検査光の波長幅はこの反射波長幅に応じて決まるので、チャープ格子を備えた検査光光源を有するＯＴＤＲ装置は、所望の波長幅の検査光を出力するように製造することが容易である。
【００１４】
上記のチャープ格子は、半導体発光素子からの光が前記チャープ格子の短反射波長側の部位から長反射波長側の部位に向かって進行するように配置されていると良い。
【００１５】
このように配置されていると、チャープ格子の各部で反射されるべき光が反射の前に外部に放射されてしまうような現象が防止され、全波長域にわたってほぼ均一なパワーの検査光が検査光光源から出力されるようになるので、ＯＴＤＲ試験をより好適に行うことができる。
【００１６】
また、検査光のパルス幅が短い場合には、上記のチャープ格子は、その反射率が半導体発光素子側の部位から他の一方側の部位に向かって単調に減少するものであると良い。
【００１７】
検査光のパルス幅が短くなると、共振器長の影響よりも、長波長側の方が注入エネルギが少なくて済む効果の方が優る場合がある。こうした場合には、共振器長が長くなるにつれて反射率を減少させることにより、全反射波長域にわたってほぼ均一なパワーの検査光が出力される。この結果、ＯＴＤＲ試験を好適に行うことができる。
【００１８】
本発明に係るＯＴＤＲ装置では、検査光光源から出射された光を入力し、所定の波長範囲の波長の光を選択的に出力するバンドパスフィルタを更に備えることができる。
【００１９】
本発明に係るＯＴＤＲ装置の検査光光源では、共振鏡の１つを光導波路に形成された回折格子で構成し、発振レーザ光の波長幅を狭くしている。しかし、共振器長が長くなる場合には、パルス幅との関係で光が共振器を往復する回数が少なくなり、低パワーではあるが発振波長の広がりを避けることはできない。ＯＴＤＲ試験の実施にあたって、信号伝送帯域との漏話を防止するため、こうした発振波長の広がりを回折格子の能力以上に求められる場合がある。
【００２０】
こうした場合には、検査光光源であるレーザ光源装置と測定対象光ファイバとの間の光路中に、バンドパスフィルタを更に備えることにより、ＯＴＤＲ装置として必要な波長範囲の外側の光を遮断することにより、良好な出力特性を得ることができる。
【発明の効果】
【００２１】
本発明に係るＯＴＤＲ装置では、その検査光光源において半導体発光素子からの光が入射する位置に、反射波長幅が約１ｎｍ以上の回折格子が設けられた光導波路が配置されており、これによって検査光光源が時間的コヒーレンスの十分に低い検査光を出力するので、Fading Noiseを抑えて、精度の高いＯＴＤＲ試験を行うことができる。
【発明を実施するための最良の形態】
【００２２】
以下、添付図面を参照して、本発明を実施するための最良の形態を詳細に説明する。なお、図面の説明において同一の要素には同一の符号を付し、重複する説明を省略する。
【００２３】
（第１実施形態）
図１は、第１実施形態のＯＴＤＲ装置１００ａの構成を示す図である。このＯＴＤＲ装置１００ａは、ＯＴＤＲ試験用の検査レーザ光をパルス発振する検査光光源１ａを備えている。この検査光光源１ａは、従来からＯＴＤＲ装置の検査光光源として使用されてきたファブリペロー型半導体レーザ１０に、光ファイバ３０ａをレンズ２０を介して光学接続したものである。
【００２４】
ファブリペロー型半導体レーザ１０は、ＩｎＧａＡｓＰ／ＩｎＰのヘテロ構造体から構成される半導体発光素子である。この半導体レーザ１０には駆動回路１３が接続されており、この駆動回路１３から動作電流が流されることで半導体レーザ１０は励起され、約１５３０ｎｍ〜約１５７０ｎｍの波長域にわたる波長幅約４０ｎｍのパルスレーザ光を出力する。半導体レーザ１０を構成するヘテロ構造体の両端には光反射面１１と光出射面１２が設けられている。これらの面はほぼ平行に対向しており、ファブリペロー型のレーザ共振器を構成している。光反射面１１は約８０％と高い反射率を有しており、光出射面１２は、約０．５％と低い反射率を有している。ファブリペロー型の多くがそうであるように、半導体レーザ１０は縦モードが多モードのレーザであり、各モードに対応した波長において大きな出力を示すようになっている。
【００２５】
レンズ２０は、半導体レーザ１０からの出射光を収束させて光ファイバ３０ａに入射させ、半導体レーザ１０から光ファイバ３０ａへの光パワーの結合を行う。レンズ２０としては、従来から光通信で用いられているような通常の光結合用レンズを用いることができる。なお、レンズ２０を半導体レーザ１０と光ファイバ３０ａとの間に介在させる代わりに、光ファイバ３０ａの先端部を溶融や切削あるいは研磨により加工してレンズ作用を持たせても良い。
【００２６】
光ファイバ３０ａは、コアの所定部位に回折格子３５が形成されたシングルモード光ファイバであり、半導体レーザ１０を出射した光がレンズ２０を介して入射するように配置されている。光ファイバ３０ａのコア及びクラッドは、ともに石英（ＳｉＯ２）ガラスから構成されているが、クラッドは実質的に純粋な石英ガラスから構成されているのに対し、コアを構成する石英ガラスには屈折率上昇材であるＧｅＯ２が添加されている。この結果、光ファイバ３０ａのコアはクラッドより約０．３５％高い屈折率を有している。
【００２７】
回折格子３５は、半導体レーザ１０の光反射面１１から回折格子３５の終端部（半導体レーザ１０から最も遠い部位）に至るまでの光路長（半導体レーザ１０の出力光に対するもの）が約７０ｍｍとなる位置に設けられている。この回折格子３５は、その実効屈折率が光軸に沿った位置に応じて最小屈折率と最大屈折率との間で周期的に変化するコア中の一領域である。言い換えれば、回折格子３５は、光軸に沿って最小屈折率と最大屈折率の間で繰り返し変化するような実効屈折率分布を有する領域である。なお、この屈折率変化の周期は、回折格子３５の周期とか格子ピッチなどと呼ばれる。
【００２８】
周知のように、回折格子３５は、ゲルマニウムが添加された石英ガラスに紫外光を照射すると照射部分の屈折率が紫外光の強度に応じた量だけ上昇する現象を利用して形成することができる。すなわち、光ファイバのクラッドの表面からゲルマニウムが添加されているコアに向けて紫外光の干渉縞を照射すれば、コアの干渉縞照射領域に干渉縞の光強度分布に応じた実効屈折率分布が形成される。このようにして形成された実効屈折率分布を有する領域が、回折格子３５である。この場合、回折格子３５の最小屈折率は、コアの当初の屈折率（紫外光照射前の屈折率）にほぼ等しいことになる。
【００２９】
回折格子３５は、所定の反射波長（ブラッグ波長）λＲを中心とした波長域にわたって光を反射する。この反射波長λＲは、
λＲ＝２・ｎ・Λ      …（１）
ｎ：回折格子３５のコアの実効屈折率
Λ：回折格子３５の周期
のように表される。
【００３０】
本実施形態の回折格子３５は、反射波長λＲが光軸に沿った位置に応じて単調に変化するチャープ格子である。上記（１）式に示されるように、反射波長λＲは回折格子の最小屈折率と周期の双方に依存して変化するため、上記のチャープ格子にも、（i）最小屈折率が光軸に沿った位置に応じて単調に変化するものと、（ii）格子周期が光軸に沿った位置に応じて単調に変化するものとがある。本実施形態の回折格子３５は、後者（ii）のタイプであり、光ファイバ３０ａの光軸に沿って半導体レーザ１０から遠い位置ほど格子周期が大きくなっている。回折格子３５の最小屈折率は光軸に沿ってほとんど均一であり、回折格子３５の反射波長は、格子周期の変化に対応して半導体レーザ１０から遠い位置ほど大きくなっている。
【００３１】
図２は、本実施形態の回折格子３５の反射特性を示す図である。この図の縦軸は反射率を示し、横軸は波長を示している。この図に示されるピークが回折格子３５の反射スペクトルである。この図は、回折格子３５により反射された光のパワースペクトルを求め、縦軸を入射光量に対する反射光量の割合、すなわち反射率に変換することにより得られる。図２に示されるように、回折格子３５の最大反射率は反射波長の１５５０ｎｍに対する約４０％であり、また、回折格子３５は、約２ｎｍの反射波長幅を有している。ここで、「回折格子３５の反射波長幅」とは、図２に示されるように、回折格子３５の最大反射率の１／１０の点で波長軸に平行に引いた直線と回折格子３５の反射スペクトルとの交点間の波長幅をいう。
【００３２】
図１に示されるように、検査光光源１ａには、光カプラ４０が接続されている。この光カプラ４０は、４端子の光方向性結合器の一種であり、第１〜第３の端子４１〜４３及び無反射終端４４を備えている。第１端子４１は検査光光源１ａの光ファイバ３０ａに接続されており、検査光光源１ａからの検査光が光カプラ４０に入射されるようになっている。一方、第２端子４２には、被測定光ファイバ６０が接続されている。これにより、検査光光源１からの検査光は、光カプラ４０に入射すると２分岐され、一方の分岐光が被測定光ファイバ６０に入射するようになる。
【００３３】
光カプラ４０の第３端子４３には、光ファイバ３１を介して測定部５０が接続されている。これにより、被測定光ファイバ６０に入射した検査光のうち光ファイバ各点でのレーリ散乱により生じた後方散乱光は、光カプラ４０に入射して２分岐され、一方の分岐光が測定部５０に入射するようになる。
【００３４】
なお、本実施形態のＯＴＤＲ装置では、従来のＯＴＤＲ装置と同様、光カプラ４０の代わりに、光サーキュレータ等の光方向性結合器を用いることも可能である。
【００３５】
測定部５０は、被測定光ファイバ６０の後方散乱光を検出して、被測定光ファイバ６０の特性を測定するものである。この測定部５０は、通常のＯＴＤＲ装置に用いられるものと同様のもので、被測定光ファイバ６０の後方散乱光を検出して電気信号に変換する光検出器、光検出器の出力電気信号を増幅する増幅回路、増幅回路の出力信号をＡ／Ｄ変換し、さらに積算平均化処理や対数変換等を施す信号処理部、信号処理部に接続された表示装置等を備えている。なお、信号処理部によるＡ／Ｄ変換や積算平均化は、駆動回路１３を介して半導体レーザ１０の発光タイミングを制御しながら行われる。表示装置は、信号処理部の出力信号に基づいて、被測定光ファイバ６０の散乱光パワーを被測定光ファイバ６０における所定の基準点から測定点までの距離に対して表示する。こうして表示された波形を観測することにより、被測定光ファイバ６０の任意の２点間の損失を求めることができ、その損失値に基づいて被測定光ファイバ６０中の融着接続点を識別すること等も可能になる。
【００３６】
次に、検査光光源１ａの発光原理を説明する。ファブリペロー型半導体レーザ１０に駆動回路１３から動作電流を流すと、半導体レーザ１０のヘテロ構造体の内部で自然放出光が生成される。この自然放出光が光反射面１１と光出射面１２との間で誘導放出を引き起こしながら繰り返し反射されることにより光が増幅され、最終的にレーザ発振が生じる、このように、光出射面１２で反射される光は半導体レーザ１０のレーザ発振に寄与する。
【００３７】
しかし、光出射面１２の反射率は０．５％と低いため、半導体レーザ１０で生成された自然放出光および誘導放出光の大部分は光出射面１２を透過する。光出射面１２を透過した光は、レンズ２０により収束されながら光ファイバ３０ａに入射し、回折格子３５に到達する。図２に示されるように、回折格子３５は反射波長λＲを中心とした約２ｎｍの反射波長幅にわたって光を反射する。回折格子３５で反射された光は、レンズ２０を介して光出射面１２から半導体レーザ１０に入射し、誘導放出を引き起こしながら光反射面１１に到達する。光反射面１１で反射された光は誘導放出を引き起こしながら進行し、光出射面１２から出射して、再び光ファイバ３０ａに入射する。この入射光は、回折格子３５に到達して再び反射される。こうして、回折格子３５と光反射面１１との間で反射が繰り返されることにより光は増幅され、最終的にレーザ発振が生ずる。こうして生成されたレーザ光は回折格子３５を透過し、光ファイバ３０ａの光カプラ４０側の端面から出射する。これが、検査光光源１ａから出力される検査レーザ光である。
【００３８】
図３は、検査光光源１ａから出力される検査光の特性を示す図である。この図の縦軸は検査光のパワーを示し、横軸は波長を示している。また、この図に示されるピークが検査光のパワースペクトルである。回折格子３５と光反射面１１との間でレーザ共振を起こす光は、半導体レーザ１０から出射する光のなかでも回折格子３５の反射波長域に含まれる光にほぼ限定される。本実施形態では、回折格子３５の反射波長幅が約２ｎｍであるため、検査光の波長幅も約２ｎｍとなっている。なお、「検査光の波長幅」とは、図３に示すように、検査光の最大パワーから２０ｄＢだけ低いパワーの点で波長軸に平行に引いた直線と検査光のパワースペクトルとの交点間の波長幅をいう。
【００３９】
ＯＴＤＲ試験に用いる検査光の波長幅があまりに小さいと、検査光の時間的コヒーレンスが高くなり、Fading Noiseのような特有のノイズが大きくなるので、精度の良いＯＴＤＲ試験が困難となる。本発明者らが行った実験によれば、検査光の波長幅が約１ｎｍ以上であれば、ＯＴＤＲ試験におけるノイズレベルは０．１５ｄＢ以下となる。光ファイバ中の光コネクタの接続点の損失は０．２０ｄＢ程度であるから、ノイズレベルが０．１５ｄＢ以下であれば、光コネクタの接続点とノイズとを区別して光コネクタの接続点を識別することができ、ＯＴＤＲ装置として実用的であると言える。
【００４０】
上述のように、本実施形態のＯＴＤＲ装置では、回折格子３５の反射波長幅が１ｎｍよりも広いことから、検査光の波長幅も１ｎｍより広くなっており、これによって検査光の時間的コヒーレンスが十分に低くなるので、Fading Noiseを十分に抑えて、精度の高いＯＴＤＲ試験を行うことができる。実際に、本発明者らが本実施形態のＯＴＤＲ装置１００ａを用いてＯＴＤＲ試験を行ったところ、ノイズレベルは約０．０５ｄＢであり、良好な結果が得られた。
【００４１】
また、本実施形態のＯＴＤＲ装置１００ａでは、回折格子３５の反射波長幅が半導体レーザ１０の出力波長幅である２０ｎｍよりも狭いことから、検査光１の波長幅も半導体レーザ１０の出力波長幅より狭くなっている。このため、本実施形態のＯＴＤＲ装置１００ａによれば、特定波長における被測定光ファイバ６０の特性を好適に測定することができる。
【００４２】
さらに、本実施形態のＯＴＤＲ装置１００ａが備える回折格子３５はチャープ格子であり、このチャープ格子は格子周期の変化の幅に応じた反射波長幅を有する。このため、回折格子３５はその製造時に反射波長幅を調整することが容易であり、検査光光源１ａから出力される検査光の波長幅は回折格子３５の反射波長幅に応じて決まる。従って、本実施形態のＯＴＤＲ装置１００ａは、所望の波長幅の検査光を出力するように製造することが容易である。
【００４３】
また、本実施形態のＯＴＤＲ装置１００ａでは、回折格子３５がその短反射波長側の部位、すなわち格子周期の小さい部位を半導体レーザ１０側に向けて配置されており、半導体レーザ１０からの光が回折格子３５の短反射波長側の部位から長反射波長側の部位へ向かって進行するようになっている。これは、次のような現象を考慮したものである。K.O.Hillらによる論文”Application of Phase Masks to the Photolithographic Fabrication of Bragg Gratings in Conventional Fiber/Planar Waveguides with Enhanced Photosensitivity ”（OFC PD 15-1,1993年）に記載されているように、回折格子はその各部位において当該部位の反射波長より短い波長の光を外部に放射する性質がある。従って、チャープ格子である回折格子３５をその長反射波長側の部位を半導体レーザ１０側に向けて配置すると、短反射波長側の部位で反射されるべき光の一部が長反射波長側を通過する際に外部に放射されてしまい、回折格子３５の反射光において短波長側の成分が長波長側の成分に比べて少なくなってしまう。この結果、検査光のパワースペクトルにおいても短波長側のパワーが長波長側に比べて低くなり、検査光はその波長域にわたって均一なパワーを有しなくなる。
【００４４】
本実施形態のＯＴＤＲ装置１００ａでは、回折格子３５が短反射波長側の部位を半導体レーザ１０に向けて配置されているので、回折格子３５の各部位で反射されるべき光が反射前に外部に放射されてしまうような現象が防止され、結果として、検査光は全波長域にわたってほぼ均一なパワーを示すようになる。このため、本実施形態のＯＴＤＲ装置１００ａによれば、被測定光ファイバ６０のＯＴＤＲ試験を極めて好適に行うことができる。
【００４５】
また、検査光のパルス幅が比較的長い場合には、回折格子３５は、その反射率が半導体発光素子側の部位から他の一方側の部位に向かって単調に増加するものであることが好ましい。図４および図５は、検査光のパルス幅が比較的長い場合における、回折格子３５の反射率の好適な位置依存性を説明するグラフである。なお、図４および図５では、回折格子３５の反射波長の範囲は、波長がλ１から波長がλ２の範囲であるとともに、半導体発光素子10側が短波長反射側であるとする。
【００４６】
検査光のパルス幅が比較的長い場合には、図４（ａ）に示すように、半導体発光素子１０の実効的な誘導放射断面積（以後、実効誘導断面積と呼ぶ）は、回折格子３５の反射波長の範囲を含む波長範囲では略一定ともなすことができる。
【００４７】
一方、回折格子３５では、光導波路３０ａの光軸に沿った位置に応じて反射波長が異なるため、半導体発光素子１０の出力波長域に含まれる光は、その波長に応じて反射される位置が異なることになる。図４（ｂ）に示すように、回折格子３５のうち半導体発光素子１０から遠い部位（半導体発光素子からの光路長が大きい部位）で反射される光ほど光パワーは減衰しているが、図５（ａ）に示すように、回折格子３５の半導体発光素子１０から遠い部位ほど反射率が大きくなっていれば、反射光のパワーを反射される部位にかかわらずほぼ均一にすることができる。このため、こうした回折格子３５を備えたＯＴＤＲ装置では、図５（ｂ）に示すように、全反射波長域にわたってほぼ均一なパワーの検査光が検査光光源から出力されるようになり、ＯＴＤＲ試験をより好適に行うことができる。
【００４８】
また、検査光のパルス幅が短い場合には、上記のチャープ格子は、その反射率が波長が短くなるにつれて単調に減少するものであることが好ましい。図６および図７は、検査光のパルス幅が比較的短い場合における、回折格子３５の反射率の好適な位置依存性を説明するグラフである。なお、図６および図７では、回折格子３５の反射波長の範囲は、波長がλ１から波長がλ２の範囲であるとともに、半導体発光素子１０側が短波長反射側であるとする。
【００４９】
検査光のパルス幅が短くなると、長波長側の方が注入エネルギが少なくて済む効果が顕著となり、図６（ａ）に示すように、長波長になる程、半導体発光素子１０の実効誘導放射断面積が大きくなる。
【００５０】
一方、回折格子３５では、光導波路３０ａの光軸に沿った位置に応じて反射波長が異なるため、半導体発光素子１０の出力波長域に含まれる光は、その波長に応じて反射される位置が異なることになる。図６（ｂ）に示すように、回折格子３５のうち半導体発光素子１０から遠い部位（半導体発光素子からの光路長が大きい部位）で反射される光ほど光パワーは減衰している。
【００５１】
そして、共振器長の影響よりも、長波長側の方が注入エネルギが少なくて済む効果の方が優るような場合が発生し得る。こうした場合には、図７（ａ）に示すように、共振器長が長くなるにつれて、すなわち、反射波長が長くなるにつれて反射率を減少させることにより、図７（ｂ）に示すように、全反射波長域にわたってほぼ均一なパワーの検査光が出力される。この結果、ＯＴＤＲ試験を好適に行うことができる。
【００５２】
（第２実施形態）
図８は、本実施形態のＯＴＤＲ装置１００ｂの構成を示す図である。本実施形態のＯＴＤＲ装置１００ｂは、検査光光源１ｂにおいて半導体レーザ１０に光学接続された光ファイバ３０ｂの構成が実施形態１と異なっている。すなわち、本実施形態では、光ファイバ３０ｂのコアに、二つの回折格子３６及び３７が設けられている。
【００５３】
回折格子３７は、半導体レーザ１０の光反射面１１から回折格子３７の終端部（半導体レーザ１０から最も遠い部位）に至るまでの光路長（半導体レーザ１０の出力光に対するもの）が約７０ｍｍとなる位置に設けられている。回折格子３６は、回折格子３７よりも半導体レーザ１０に近い位置に設けられている。
【００５４】
回折格子３６及び３７は、ともに光軸に沿って一定の格子周期を維持する等ピッチの回折格子である。回折格子３６は、回折格子３７よりも小さい周期を有しており、また、双方の回折格子の最小屈折率はほぼ等しい。このため、回折格子３６は回折格子３７よりも小さい反射波長を有している。具体的には、回折格子３６の反射波長は約１５５０ｎｍであり、回折格子３７の反射波長は約１５５４ｎｍである。また、各回折格子の反射波長幅は、ともに約１ｎｍである。なお、「回折格子の反射波長幅」の定義は、実施形態１の説明で述べたとおりである。
【００５５】
回折格子３６及び３７からなる領域は、所定の波長域にわたって光を反射する一つの反射領域３８とみなことができる。図９は、この反射領域３８の反射特性を示す図であり、各回折格子に対応した二つのピークからなる反射スペクトルが現れている。この反射領域３８の反射波長幅は、約５ｎｍである。なお、「反射領域３８の反射波長幅」とは、図９に示されるように、この反射領域３８の最大反射率の１／１０の点で波長軸に平行に引いた直線と反射領域３８の反射スペクトルとの交点のうち波長が最小の点と波長が最大の点との間の波長幅をいう。
【００５６】
本実施形態では、半導体レーザ１０から出射した光のうち半導体レーザ１０の光反射面１１と反射領域３８との間で繰り返し反射された光がレーザ発振され、検査光として検査光光源１ｂから出力される。図１０は、この検査光の特性を示す図である。本実施形態では、回折格子３６及び３７からなる反射領域３８の反射波長幅が約５ｎｍであるため、検査光の波長幅も約５ｎｍとなっている。なお、ここでいう「検査光の波長幅」とは、図１０に示すように、検査光の最大パワーから２０ｄＢだけ低いパワーの点で波長軸に平行に引いた直線と検査光のパワースペクトルとの交点間の波長幅をいう。
【００５７】
このように、本実施形態のＯＴＤＲ装置１００ｂでは、光ファイバ３０ｂに反射波長の異なる二つの回折格子３６及び３７からなる反射領域３８が設けられているので、各回折格子の反射波長幅が小さく、各回折格子で反射されてレーザ発振される光がそれぞれ高い時間的コヒーレンスを持つ場合であっても、検査光光源１ｂからはそれぞれの光が重畳されて出力される結果、検査光の時間的コヒーレンスは十分に低くなる。特に、本実施形態では、反射領域３８が１ｎｍ以上の反射波長幅を有していることから、検査光の波長幅も１ｎｍより広くなり、検査光の時間的コヒーレンスが確実に低くなるため、Fading Noiseを十分に抑えて、精度の高いＯＴＤＲ試験を確実に行うことができる。実際に、本発明者らが本実施形態のＯＴＤＲ装置１００ｂを用いてＯＴＤＲ試験を行ったところ、ノイズレベルは約０．０５ｄＢであり、良好な結果が得られた。
【００５８】
また、本実施形態のＯＴＤＲ装置１００ｂでは、光ファイバ３０ｂに設けられた反射領域３８の反射波長幅が半導体レーザ１０の出力波長幅である２０ｎｍよりも狭いことから、検査光の波長幅も半導体レーザ１０の出力波長幅より狭くなっている。このため、本実施形態のＯＴＤＲ装置１００ｂによれば、特定波長における被測定光ファイバ６０の特性を好適に測定することができる。
【００５９】
さらに、本実施形態のＯＴＤＲ装置１００ｂでは、反射領域３８を構成する回折格子３６及び回折格子３７のうち反射波長の短い回折格子３６が半導体レーザ１０側に配置されており、半導体レーザ１０からの光が反射波長の短い回折格子３６から順に入射するようになっている。実施形態１の説明の中でも述べたとおり、回折格子はその各部位において当該部位の反射波長より短い波長の光を外部に放射する性質があるが、回折格子３６及び３７を本実施形態のように配置すれば、回折格子で反射されるべき光が反射の前に外部に放射されてしまうような現象は抑制され、全波長域にわたってほぼ均一なパワーの検査光が得られるようになる。従って、本実施形態のＯＴＤＲ装置１００ｂによれば、ＯＴＤＲ試験を極めて好適に行うことができる。
【００６０】
本実施形態においては、回折格子３７または回折格子３８として、チャープ格子を採用することができる。こうした場合には、実施形態１と同様に、チャープ格子が、短反射波長側の部位を半導体レーザ１０に向けて配置されていることが好ましい。
【００６１】
また、検査光のパルス幅が比較的長い場合には、チャープ格子は、その反射率が半導体発光素子側の部位から他の一方側の部位に向かって単調に増加するものであることが好ましく、また、検査光のパルス幅が短い場合には、上記のチャープ格子は、その反射率が波長短くなるにつれて単調に減少するものであることが好ましい。
【００６２】
（第３実施形態）
図１１は、本実施形態のＯＴＤＲ装置１００ｃの構成を示す図である。本実施形態のＯＴＤＲ装置１００ｃは、検査光光源１ｃにおいて半導体レーザ１０に光学接続された光ファイバ３０ｃに設けられる反射領域３９の構成が第２実施形態と異なっている。この反射領域３９は、石英系シングルモード光ファイバのゲルマニウムが添加されたコアの同一領域に、周期の異なる紫外光干渉縞を順次に照射することにより形成されたものである。各干渉縞の周期はそれぞれ反射波長１５５０ｎｍ、１５５４ｎｍの等ピッチ回折格子を形成できるように調節されている。従って、反射領域３９は、反射波長１５５０ｎｍの等ピッチ回折格子と反射波長１５５４ｎｍの等ピッチ回折格子とが光ファイバの一箇所に重ねて設けられたものである。
【００６３】
この反射領域３９は、反射波長１５５０ｎｍの回折格子の反射スペクトルと反射波長１５５４ｎｍの回折格子の反射スペクトルを重畳したような反射スペクトルを示す。これは、第２実施形態のＯＴＤＲ装置における反射領域３８の反射スペクトル（図９）とほぼ同一であり、その反射波長幅は約５ｎｍである。このため、検査光光源１ｃから出力される検査光の波長幅も、約５ｎｍとなる。
【００６４】
本実施形態では、半導体レーザ１０から出射した光のうち半導体レーザ１０の光反射面１１と反射領域３９との間で繰り返し反射された光がレーザ発振され、検査光として検査光光源１ｃから出力される。この検査光は、図１０に示されるような第２実施形態の検査光の特性とほぼ同一の特性を示し、反射領域３９の反射波長幅に対応して約５ｎｍの波長幅を有している。
【００６５】
このように、本実施形態のＯＴＤＲ装置１００ｃでは、光ファイバ３０ｃの同一箇所に反射波長の異なる二つの回折格子を形成してなる反射領域３９が設けられているので、反射領域３９を構成する各回折格子の反射波長幅が小さく、各回折格子で反射されてレーザ発振される光がそれぞれ高い時間的コヒーレンスを持つ場合であっても、検査光光源１ｃからはそれぞれの光が重畳されて出力される結果、検査光の時間的コヒーレンスは十分に低くなる。特に、本実施形態では、反射領域３９が１ｎｍ以上の反射波長幅を有していることから、検査光の波長幅も１ｎｍより広くなり、検査光の時間的コヒーレンスが十分かつ確実に低くなるため、Fading Noiseを十分に抑えて、精度の高いＯＴＤＲ試験を確実に行うことができる。実際に、本発明者らが本実施形態のＯＴＤＲ装置１００ｃを用いてＯＴＤＲ試験を行ったところ、ノイズレベルは約０．０５ｄＢであり、良好な結果が得られた。
【００６６】
また、本実施形態のＯＴＤＲ装置１００ｃでは、光ファイバ３０ｃに設けられた反射領域３９の反射波長幅が半導体レーザ１０の出力波長幅である２０ｎｍよりも狭いことから、検査光の波長幅も半導体レーザ１０の出力波長幅より狭くなっている。このため、本実施形態のＯＴＤＲ装置１００ｃによれば、特定波長における被測定光ファイバ６０の特性を好適に測定することができる。
【００６７】
本実施形態においては、回折格子として、チャープ格子を採用することができる。こうした場合には、実施形態１と同様に、チャープ格子が、短反射波長側の部位を半導体レーザ１０に向けて配置されていることが好ましい。
【００６８】
また、検査光のパルス幅が比較的長い場合には、チャープ格子は、その反射率が半導体発光素子側の部位から他の一方側の部位に向かって単調に増加するものであることが好ましく、また、検査光のパルス幅が短い場合には、上記のチャープ格子は、その反射率が波長短くなるにつれて単調に減少するものであることが好ましい。
【００６９】
（第４実施形態）
図１２は、本実施形態のＯＴＤＲ装置１００ｄの構成を示す図である。このＯＴＤＲ装置１００ｄは、検査光光源１ｄの構成が上記の実施形態と異なっている。すなわち、本実施形態の検査光光源１ｄでは、半導体レーザ１０に光学接続された光ファイバ３０ｄのコアに回折格子３６が形成されており、さらに、この回折格子３６を含む部位に応力付加装置７０が取り付けられている。
【００７０】
回折格子３６は、光軸に沿って一定の格子周期を維持する等ピッチの回折格子である。回折格子３６の反射波長は約１５５０ｎｍであり、その反射波長幅は約１ｎｍである。
【００７１】
応力付加装置７０は、光ファイバ３０ｄのうち回折格子３６を挟む二点において光ファイバ３０ｄを把持するアーム７１及び７２と、このアーム７１及び７２が自らの両端に取り付けられたピエゾ素子７３とを備えている。ピエゾ素子７３には図示しない可変電圧源が接続されており、この可変電圧源から駆動電圧が印加されることによりピエゾ素子７３が伸縮するようになっている。なお、伸縮の方向は、光ファイバ３０ｄの光軸方向と略平行である。
【００７２】
ピエゾ素子７３に伸縮を行わせると、アーム７１及び７２を介して光ファイバ３０ｄに光軸方向に沿った応力（張力または圧力）が加わる。これにより、回折格子３６の周期や最小屈折率が変化する。上記（１）式に示されるように、回折格子３６の反射波長は回折格子３６の周期や最小屈折率に依存するので、周期や最小屈折率の変化に応じて回折格子３６の反射波長も変化する。なお、本発明者らの実験によれば、１００ｇの張力を付加することで反射波長を約１ｎｍ大きくすることができた。
【００７３】
本実施形態では、半導体レーザ１０から出射した光のうち半導体レーザ１０の光反射面１１と回折格子３６との間で繰り返し反射された光がレーザ発振され、検査光として検査光光源１ｄから出力される。検査光の波長域は回折格子３６の反射波長域に応じて決まるため、回折格子３６の反射波長が変化すると、検査光の波長域も変化する。従って、ピエゾ素子７３の駆動電圧を調節してピエゾ素子７３の伸縮を制御すれば、検査光の波長域を任意に調節することができることになる。
【００７４】
実際、図１３の反射特性図に示すように、応力付加装置７０によって回折格子３６の反射波長を約４ｎｍシフトさせ、約５ｎｍの波長幅で反射波長域をシフトさせれば、図１４の検査光特性図に示すように、検査光の最大パワーの波長も約４ｎｍシフトする。従って、駆動電圧レベルを周期的に時間変化させて回折格子３６の反射波長域を約５ｎｍの波長幅で周期的に時間変化させれば、検査光の波長域も約５ｎｍの波長幅で周期的に時間変化するようになり、この場合、検査光光源１ｄは、約５ｎｍの波長幅を有する光源と等価である。なお、「回折格子３６の反射波長域を約５ｎｍの波長幅で時間変化させる」とは、回折格子３６の反射特性図において、回折格子３６の最大反射率の１／１０の点で波長軸に平行に引いた直線と回折格子３６の反射スペクトルとの交点を各時間ごとに求めたときに、波長が最小の点と波長が最大の点との間の波長幅が約５ｎｍとなるように反射波長域を時間変化させることをいう。また、「検査光の波長域が約５ｎｍの波長幅で周期的に時間変化する」とは、検査光の特性図において、検査光の最大パワーから２０ｄＢだけ低いパワーの点で波長軸に平行に引いた直線と検査光のパワースペクトルとの交点を各時間ごとに求めたときに、波長が最小の点と波長が最大の点との間の波長幅が約５ｎｍとなるように時間変化することをいう。
【００７５】
このように、本実施形態のＯＴＤＲ装置１００ｄでは、応力付加装置７０により回折格子３６の反射波長域を時間変化させることで、検査光の波長域を時間変化させ、実質的に波長幅が広く、時間的コヒーレンスの十分に低い検査光を得ることができる。従って、本実施形態のＯＴＤＲ装置１００ｄによれば、Fading Noiseを十分に抑えて、精度の高いＯＴＤＲ試験を行うことができる。実際に、本発明者らが本実施形態のＯＴＤＲ装置１００ｄを用いてＯＴＤＲ試験を行ったところ、ノイズレベルは約０．０５ｄＢであり、良好な結果が得られた。
【００７６】
また、本実施形態のＯＴＤＲ装置１００ｄでは、回折格子３６の実質的な反射波長幅が半導体レーザ１０の出力波長幅である２０ｎｍよりも狭いことから、検査光の実質的な波長幅も半導体レーザ１０の出力波長幅より狭くなっている。このため、本実施形態のＯＴＤＲ装置１００ｄによれば、特定波長における被測定光ファイバ６０の特性を好適に測定することができる。
【００７７】
なお、本実施形態では、応力付加装置７０を用いて回折格子３６に応力を付加することで回折格子の反射波長域を変化させたが、この代わりに光ファイバ３０ｄのうち回折格子３６を含む部位を温度調節槽に収容し、槽内の温度を変化させても良い。回折格子３６の周囲の温度が変化すると回折格子３６が光軸方向に沿って伸張又は収縮し、これに応じて回折格子３６の反射波長が変化するから、温度調節槽内の温度を調節することで検査光の波長域を調節することができる。この場合、光ファイバ３０ｄのうち回折格子３６を含む部位に光ファイバ３０ｄと熱膨張係数の異なる部材（例えば、アルミなどの金属板）を取り付けておけば、両者の熱膨張係数の差に起因して、温度変化による回折格子の反射波長変化が大きくなるので好適である。本発明者らの実験によれば、アルミ板を取り付けることにより、温度調節槽内の温度を１０℃上昇させることで回折格子３６の反射波長を２ｎｍ大きくすることができた。
【００７８】
（第５実施形態）
図１５は、本実施形態のＯＴＤＲ装置１００ｅの構成を示す図である。図１５に示すように、ＯＴＤＲ装置１００ｅは、実施形態１のＯＴＤＲ装置１００ａと比較して、検査光光源１ａと光カプラ４０との間に透過型バンドパスフィルタ７１を更に備える点が異なる。
【００７９】
ＯＴＤＲ装置１００ｅの検査光光源１ａでは、共振鏡の１つを光導波路３０ａに形成された回折格子３５で構成し、発振レーザ光の波長幅を狭くしている。しかし、共振器長が長くなる場合には、パルス幅との関係で光が共振器を往復する回数が少なくなり、低パワーではあるが発振波長の広がりを避けることはできない。ＯＴＤＲ試験の実施にあたって、信号伝送帯域との漏話を防止するため、こうした発振波長の広がりを回折格子の能力以上に求められる場合がある。
【００８０】
図１６は、本実施形態の動作を説明するグラフである。なお、以下の説明では、検査光として、中心波長が１５５０ｎｍであるとともに、中心波長から１ｎｍより離れた波長範囲では、−５０ｄＢｍ以下の光パワーの漏れしか許容されない場合を想定する。
【００８１】
本実施形態のＯＴＤＲ装置１００ｅの検査光光源１ａが実施形態１と同様の光パワーの波長分布の光を出力する（図１６（ａ）参照）。図１６（ａ）に示すように、検査光光源１ａから出力された光は、−２５ｄＢｍ以下と低パワーではあるが、中心波長（＝１５５０ｎｍ）から１ｎｍより離れた波長範囲に、発振波長の広がりを有している。
【００８２】
本実施形態のＯＴＤＲ装置１００ｅでは、検査光光源１ａから出力された光は、透過型バンドパスフィルタ７１に入力する。透過型バンドパスフィルタ７１は、図１６（ｂ）に示すように、中心波長（＝１５５０ｎｍ）を中心として１．９ｎｍの幅の波長範囲の波長の光については略１００％の透過率を有し、他の波長範囲の光については略０％の透過率を有する。
【００８３】
したがって、透過型バンドパスフィルタ７１から出力される光は、図１６（ｃ）に示すように、中心波長（＝１５５０ｎｍ）から１ｎｍより離れた波長範囲では、−５０ｄＢｍ以下の光パワーとなり、上記の要請を満たすことができる。
【００８４】
なお、透過型バンドパスフィルタ７１で阻止された光は、回折格子３５で反射されて戻ってくる可能性がある。そのため、透過型バンドパスフィルタ７１と回折格子３５との間に光アイソレータを挿入することが望ましい。
【００８５】
図１７は、本実施形態の変形例のＯＴＤＲ装置１００ｆの構成を示す図である。図１７に示すように、ＯＴＤＲ装置１００ｆは、本実施形態のＯＴＤＲ装置１００ｅと比較して、透過型バンドパスフィルタ７１に代えて、光サーキュレータ７２と反射型バンドパスフィルタ７３との組合せを採用する点が異なる。
【００８６】
ＯＴＤＲ装置１００ｆの検査光光源１ａが実施形態１と同様の光パワーの波長分布の光を出力する（図１８（ａ）参照）。図１８（ａ）に示すように、検査光光源１ａから出射された光は、−２５ｄＢｍ以下と低パワーではあるが、中心波長（＝１５５０ｎｍ）から１ｎｍより離れた波長範囲に、発振波長の広がりを有している。
【００８７】
本変形例のＯＴＤＲ装置１００ｆでは、検査光光源１ａから出力された光は、光サーキュレータ７２に入力し、反射型バンドパスフィルタ７３に入力する。反射型バンドパスフィルタ７３は、図１８（ｂ）に示すように、中心波長（＝１５５０ｎｍ）を中心として１．９ｎｍの幅の波長範囲の波長の光については略１００％の反射率を有し、他の波長範囲の光については略０％の反射率を有する。
【００８８】
したがって、反射型バンドパスフィルタ７３を介した後に光サーキュレータ７１から光カプラ４０へ向けて出力される光は、図１８（ｃ）に示すように、中心波長（＝１５５０ｎｍ）から１ｎｍより離れた波長範囲では、−５０ｄＢｍ以下の光パワーとなり、上記の要請を満たすことができる。
【００８９】
なお、実施形態１に対する本実施形態や本実施形態の変形例への変形は、第２実施形態〜４に関しても同様に実施することができ、同様の効果を奏する。
【図面の簡単な説明】
【００９０】
【図１】第１実施形態のＯＴＤＲ装置の構成を示す図である。
【図２】回折格子３５の反射特性を示す図である。
【図３】検査光光源１ａから出力される検査光の特性図である。
【図４】検査光のパルス幅が長い場合の共振の動作を説明するグラフである。
【図５】図４とともに、検査光のパルス幅が長い場合の共振の動作を説明するグラフである。
【図６】検査光のパルス幅が短い場合の共振の動作を説明するグラフである。
【図７】図６とともに、検査光のパルス幅が短い場合の共振の動作を説明するグラフである。
【図８】第２実施形態のＯＴＤＲ装置の構成を示す図である。
【図９】反射領域３８の反射特性を示す図である。
【図１０】検査光光源１ｂから出力される検査光の特性図である。
【図１１】第３実施形態のＯＴＤＲ装置の構成を示す図である。
【図１２】第４実施形態のＯＴＤＲ装置の構成を示す図である。
【図１３】回折格子３６の反射特性の変化を示す図である。
【図１４】検査光光源１ｄから出力される検査光の特性の変化を示す図である。
【図１５】第５実施形態のＯＴＤＲ装置の構成を示す図である。
【図１６】第５実施形態の動作を説明するグラフである。
【図１７】第５実施形態のＯＴＤＲ装置の変形例の構成を示す図である。
【図１８】第５実施形態の変形例の動作を説明するグラフである。
【符号の説明】
【００９１】
１ａ〜１ｄ…検査光光源、１０…半導体レーザ、１１…光反射面、１２…光出
射面、１３…駆動回路、２０…レンズ、３０ａ〜３０ｄ…光ファイバ、３５…回
折格子（チャープ格子）、４０…光カプラ、５０…測定部、６０…被測定光ファ
イバ、７１…透過型バンドパスフィルタ、７２…光サーキュレータ、７２…反射
型バンドパスフィルタ、１００ａ〜１００ｆ…ＯＴＤＲ装置。
【図１】
2004198435.tif 000003
【図２】
2004198435.tif 000004
【図３】
2004198435.tif 000005
【図４】
2004198435.tif 000006
【図５】
2004198435.tif 000007
【図６】
2004198435.tif 000008
【図７】
2004198435.tif 000009
【図８】
2004198435.tif 000010
【図９】
2004198435.tif 000011
【図１０】
2004198435.tif 000012
【図１１】
2004198435.tif 000013
【図１２】
2004198435.tif 000014
【図１３】
2004198435.tif 000015
【図１４】
2004198435.tif 000016
【図１５】
2004198435.tif 000017
【図１６】
2004198435.tif 000018
【図１７】
2004198435.tif 000019
【図１８】
2004198435.tif 000020